(57)【要約】【課題】本発明は、遮光用のネット又はシートによる風の影響をできるだけ排除することのできる遮光用のネット又はシートを提供することを課題とする。【解決手段】所望形状の屋外空間部外周に沿って設けられ、該所望形状空間部を周囲の空間と区画するための区画ネット又はシートの全周、又は一部分に設置される遮光用のネット又はシートにおいて、遮光用のネット又はシートが、所望の幅で横又は縦方向に沿って複数に分割された分割ネット又はシート体から構成され、且つ各分割ネット又はシート体は分割方向の中心線に沿って同一方向に所望角度回動することで傾斜して設けられていることである。【選択図】図１
2010138682.tif 000002
【特許請求の範囲】
【請求項１】
所望形状の屋外空間部外周に沿って設けられ、該空間部を周囲の空間と区画するための区画用等のネット又はシートの全周、又は一部分に設置される遮光用のネット又はシートにおいて、遮光用のネット又はシートが、所望の幅で横方向又は縦方向に沿って複数に分割された分割ネット又はシート体から構成され、且つ各分割ネット又はシート体は分割方向の中心軸線に沿って同一方向に所望角度回動することで傾斜して設置されていることを特徴とする遮光用のネット又はシート体。
【請求項２】
所望形状の屋外空間部外周に沿って設けられ、該所望形状空間部を周囲の空間と区画するための区画用等のネット又はシートにおいて、区画用等のネット又はシートを所望の幅で横方向又は縦方向に沿って複数に分割された分割ネット又はシート体からなる遮光用のネット又はシートで構成したことを特徴とする遮光用のネット又はシート体。
【発明の詳細な説明】
【技術分野】
【０００１】本発明は、ゴルフ練習場等の屋外空間施設又は工事現場において使用される遮光用のネット又はシートに関する。
【背景技術】
【０００２】屋外空間施設として、例えばゴルフ練習場の施設がある。該ゴルフ練習場の施設は、通常矩形状の空間部の外周に立設した支柱と、該支柱に沿って一方に開口部を有する箱状に吊り張した区画用及び防球用のネットと、該区画用防球用のネットの周側面下端側に沿って取り付けられた遮光用のネット（防球用のネットに比し目の細かなネットで構成）とから構成されている。そして、前記防球用のネットの周側面部分は、各支柱に取り付けられたウインチにより移動するワイヤロープに直接又は間接的に取り付けられ、該ウインチを駆動することでワイヤロープを移動し、昇降移動するように構成されている。【０００３】上記遮光用のネットは、区画用及び防球用のネットによる太陽光の反射の防止、及び打ち放たれたゴルフ球の球が見えやすいようにすることを目的として設置されているために、区画用及び防球用のネットに沿って一体的（区画用及び防球用のネット内側、又は外側）に取り付けられている。【０００４】上記区画用及び防球用のネットは、屋外で吊り張りされているために、風の強い場合は風の影響を受けて破損（ネットが支柱等に擦れて磨耗、又は支柱の倒壊等）したりするために、ウインチを駆動して区画用及び防球用のネットを支柱の下方側に下降移動し風の影響を回避するようにしている。【０００５】また、住宅街で高層の集合住宅を建設する場合は、周辺への配慮、作業及び通行人への安全対策のために、一定の作業工程が終了すると外周を遮光用のシートで覆った状態で次の工程の作業を行う場合が多々ある。【０００６】上記遮光用のシートにより、太陽光の反射を解消することができ周辺の住民及び通行人に配慮するとともに、高所作業時における作業人の安全を図っている。
【発明が解決しようとする課題】
【０００７】しかしながら、上記屋外空間施設においては遮光用のネットの取り付けられた区画用及び防球用のネット部分は遮光用のネットが目の細かなネットで構成されているため、他の区画用及び防球用のネット部分に比し風の影響を強く受け、風の強い日に防球用ネットを支柱の下方側に下降移動しようとしても風力の方が強く、スムーズな下降移動ができず区画用及び防球用のネットの収納が困難であるという欠点があった。
【０００８】そこで、遮光用のネットを区画用及び防球用のネットと別体として設置することも考えられるが、風の強い日に区画用及び防球用のネットを下降移動して収納することは従来に比し容易になるものの、遮光用のネット自体は同様に風の影響を強く受けるために収納が困難であるという点については解消することができない。
【０００９】また、建設現場等における遮光用のシートにおいても同様に、風の影響を強く受けるために支える支柱等の強度を上げなければ遮光用のシートを設置できないという欠点があった。
【００１０】そこで、本発明は、風の影響をできるだけ排除することができ、安全性にとんだ遮光用のネット又はシートを提供することを課題とする。
【課題を解決するための手段】
【００１１】本発明は上記課題を解決するための第１の手段は、請求項１に記載のように、所望形状の屋外空間部外周に沿って設けられ、該所望形状空間部を周囲の空間と区画するための区画用等のネット又はシートの全周、又は一部分に設置される遮光用のネット又はシートにおいて、遮光用のネット又はシートが、所望の幅で横方向又は縦方向に沿って複数に分割された分割ネット又はシート体から構成され、且つ各分割ネット又はシート体は分割方向の中心軸線に沿って同一方向に所望角度回動することで傾斜して設置されていることを特徴とする。
【００１２】また、第２の手段は、請求項２に記載のように、所望形状の屋外空間部外周に沿って設けられ、該所望形状空間部を周囲の空間と区画するための区画用等のネット又はシートにおいて、区画用等のネット又はシートを所望の幅で横方向又は縦方向に沿って複数に分割された分割ネット又はシート体からなる遮光用のネット又はシートで構成したことを特徴とする。
【発明の作用・効果】
【００１３】本発明の第１の手段による遮光用のネット又はシートは、先ず所望形状の屋外空間部外周に沿って一定の間隔で支柱を立設し、該支柱に沿って区画用等のネット又はシートを吊り張りすることで所望形状空間部を周囲の空間と区画する。
【００１４】上記区画用等のネット又はシートの全周、又は一部分に遮光用のネット又はシートを設ける。
【００１５】上記遮光用のネット又はシートは、所望の幅で横方向又は縦方向に複数に分割された分割ネット又はシート体で構成され、各分割ネット又はシート体は分割方向（横方向）の中心線に沿って同一方向に所望角度回動することで傾斜して設けられている。このために、各分割ネット又はシート体は隣り合う分割ネット又はシート体との間で、前後方向の空間部が形成される。
【００１６】次に、上記状態で使用時に強い風が吹くと、遮光用のネット又はシート部分は、複数に分割された分割ネット又はシート体で構成されているために風を分割して受け止めることができ、一体として風を受け止める場合に比し風の影響が少なくなる。
【００１７】さらに、各分割ネット又はシート体の隣り合う分割ネット又はシート体との間の空間部を風が通り抜けていくために、風の風力が全体に影響することもない。
【００１８】このため、遮光用のネット又はシートを区画用等のネット又はシートと一体的に設けた場合において、風のある日でもスムーズに区画用等のネット又はシートを下降移動して収納することができる。
【００１９】また、遮光用のネット又はシートを区画用等のネット又はシートと別体として設置することができるために、区画用等のネット又はシートのみ昇降移動すべく構成し、遮光用のネット又はシートは固定式、又は昇降方式等自在に構成することができる。
【００２０】また、上記とは逆に遮光用のネット又はシートを、設置場所等の条件により所望の幅で縦方向に複数に分割された分割ネット又はシート体で構成することも可能である。この場合も上記と同様に、各分割ネット又はシート体は隣り合う分割ネット又はシート体と前後方向に空間部が形成されているために、同様の効果を得ることができる。
【００２１】また、上記遮光用のネット又はシートを、区画ネット又はシートの外周に所望の間隔を開けて設置することで、上記区画ネット又はシートの支柱の下方側への移動をさらに容易に行うことができる。しかも、各分割ネット又はシート体を分割方向（横方向）の中心線に沿って同一方向に大きな角度回動することで傾斜を大きくすることで、遮光用のネット又はシートは昇降することなく風を通り抜けするように構成することも可能である。
【００２２】次に、所望形状の屋外空間部外周に沿って該所望形状空間部を周囲の空間と区画するために設ける区画ネット又はシートを、遮光用のネット又はシートで構成することで、太陽光等の反射を防ぎ周囲に対して配慮することができる。
【００２３】しかも、上記遮光用のネット又はシートは、所望の幅で横方向、又は縦方向に沿って複数に分割された分割ネット又はシート体から構成されているために、分割部分で風を通すことができ、一定の風力に対しては所望形状の屋外空間部外周に沿って設けられた状態で安全に対応することができる。
【００２４】このように、本発明の遮光用のネット又はシートは従来の区画ネット又はシートに一体的に設けられていた場合に比し、区画ネット又はシートの昇降時に問題となることなく、スムーズに昇降移動ができる。
【００２５】また、遮光用のネット又はシートが所望の幅で横方向、又は縦方向に複数に分割されているために、該分割部分で風を通すことができ、従来の区画ネット又はシートのような風による頻繁な昇降作業を必要することなく、風に対応することができる。
【００２５】しかも、その構成が簡易であるために、従来の施設に容易に設置することができ、設置費用を抑えることが可能となる。
【発明を実施するための最良の形態】
【００２６】以下、本発明の遮光用のネット又はシートの一実施例について下記のような各図面を用いて説明する。【００２７】図１は本発明の遮光用のネット又はシートの一実施例を示す概略正面図であり、図２は図１の遮光用のネット又はシートを示す概略側面図であり、図３は遮光用のネット又はシートの設置状況を示す概略説明図であり、図４は本発明の遮光用のネット又はシートの他実施例を示す概略正面図である。【００２８】本発明の遮光用のネット１は、通常の防球用ネットに比し目の細やかなネットで構成されている。【００２９】そして、設置する空間部に対応した寸法となる面積の遮光用のネット１を横方向に複数に分割した分割ネット体２で形成する。【００３０】上記分割ネット体２は、横方向の中心軸線Ｌに沿って回動可能であり、各分割ネット体２は上方を約３０度（正面から見て各分割ネット体２間に隙間が生じない角度とすることで遮光性を維持する）後側に回動することで下方側も約３０度前側に回動することとなり傾斜した状態で取り付けられる。これにより、上下で隣り合う分割ネット体２は、それぞれ上下分割部分で風が通り抜ける隙間４を形成する。【００３１】尚、遮光用のネット１の幅等については、特に限定されるものでなく設置する空間部の大きさに応じて自在に設定可能である。【００３２】本発明の遮光用のネット１は、上記のように構成され、次に該遮光用のネット１を所望形状の屋外空間部を有する例えば、ゴルフ練習場に設置する場合について説明する。【００３３】先ず、ゴルフ練習場は空間部Ａの一方側にゴルフの打席用コーナー１０を設置し、略コの字状の外周に沿って一定の間隔で支柱５を立設し、該支柱５間に区画用及び防球用のネット６が吊り張りすることで、空間部Ａを周囲の空間と区画する。上記区画用及び防球用のネット６の側面部分は、支柱５部分で該支柱５に取り付けられたウインチ（図示せず）で移動するワイヤロープ（図示せず）に直接又は間接的に連結され、支柱５に沿って昇降移動するように構成されている。【００３４】次に、打席用コーナー１０と対向する正面側を中心に隣接する両側面側に沿って区画用及び防球用のネット６の外周に複数の支柱７を立設し、該支柱７間に遮光用のネット１を吊り張りする。遮光用のネット１の吊り張りする距離は、空間部Ａの大きさ及び設置場所の状況に応じて決定される。【００３５】上記遮光用のネット１の吊り張り方法は、横方向に分割された各分割ネット体２を横方向の中心軸線Ｌに沿って上方を約３０度後側に回動することで下方を約３０度前側に回動して斜めに傾斜させて、両側面を支柱７に取り付ける。これにより、遮光用のネット１の、上下で隣り合う各分割ネット体２はそれぞれ分割部分で一定の隙間４を形成することとなる。【００３６】このため、風のある日（区画用及び防球用のネット６をウインチで昇降しない範囲）であっても、隙間４を風が通り抜けることとなり、風につよい遮光用のネット１となる。【００３７】また、遮光用のネット１が、従来のように区画用及び防球用のネット６と一体的に設けられてないために、風の強い日に区画用及び防球用のネット６を下方側に移動する際、遮光用のネット１部分が強い風を受けてその風圧により強く引っ張られた状態となることなく、区画用及び防球用のネット６のみを下降すればよく、スムーズな昇降移動を行うことができる。【００３８】また、遮光用のネット１を複数の分割ネット体２で構成しているために、風をそれぞれ各分割ネット体２で分割して受けるために、風の強い日でも大きな影響を受けることなく設置して遮光用ネット１として使用することができる。【００３９】また、各分割ネット体２を地面と水平なる位置まで回動することにより、隙間４間を大きく広げることで、風の通り抜けやすいようにすることで風の影響をさらに少なくし、風の強い日であっても設置した状態とすることが可能となる。【００４０】尚、上記実施例では、遮光用のネット１を固定式として使用したが本発明において遮光用のネット１は固定式に限定されるものでなく、例えば区画用及び防球用のネット６のように支柱７に沿って昇降移動するように構成することも可能である。【００４１】尚、上記実施例では、遮光用のネット１を横方向に複数に分割された分割ネット体２で構成したが、本発明において遮光用のネット１の分割方向は横方向に限定されるものでなく、例えば縦方向に分割した分割ネット体２Ａで構成することも可能である。この場合において、分割ネット体２Ａは縦方向の中心軸を中心に回動することで、分割部分に隙間４を形成することで横方向の場合と同様の効果を得ることができる。さらに、横方向と縦方向の分割ネット体２、２Ａを組み合わせた方式も可能である。【００４２】また、上記実施例では遮光用のネット１を用いたが本発明において遮光用のネット１に限定されるものでなく、遮光用のシートを使用することも可能である。特に、遮光用のシートは、ネット以上に風の影響を受けやすいので本発明のような分割ネット体で構成することはより効果的である。【００４３】本発明の遮光用のネット１を用いる所望形状の屋外空間部Ａは、ゴルフ練習場に限定されるものでなく、他の球技練習施設においても使用することができる。【００４４】次に、他の実施例として、例えば工事現場で建物の外周を覆う区画用及び安全用のシートを遮光用のシートを使用する場合において、該遮光用のシートを複数に分割された分割ネット体で構成することで、風の影響を分散して受けるとともに、隙間で風を通り抜けさせることで安全に建物の外周を覆うことが可能となる。
【図面の簡単な説明】
【００４５】
【図１】本発明の遮光用のネット又はシートの一実施例を示す概略正面図
【図２】図１の遮光用のネット又はシートを示す概略側面図
【図３】遮光用のネット又はシートの設置状況を示す概略説明図
【図４】本発明の遮光用のネット又はシートの他実施例を示す概略正面図
【符号の説明】
【００４６】１…遮光用のネット、２…分割ネット体
【図１】
2010138682.tif 000003
【図２】
2010138682.tif 000004
【図３】
2010138682.tif 000005
【図４】
2010138682.tif 000006